(57)【特許請求の範囲】
【請求項１】
天井に設けた上レール（５ａ）と、ベランダに設置した手摺（５ｂ）と、上レールに吊り下げられ且つ下部を手摺に案内された引戸（１）と備え、
引戸（１）は、下框（９）が断面略下向きコ字形に形成されていると共に手摺（５ｂ）を上から囲むように配置してあり、縦枠（２）が操作部（３）と、縦枠（２）に内装されて操作部（３）の操作によって上下動する上げ落し棒（４）と、上げ落し棒（４）の先端部に設けてあり且つ下框（９）の内部で手摺（５ｂ）を下方に押圧する押圧体（６）とからなるフリーストッパー（１２）とを有し、
押圧体（６）は、断面略下向きコ字形に形成されていると共に側壁（１７ａ、１７ａ）と手摺押圧面（Ｐ）を有し、両側壁（１７ａ、１７ａ）は、下方に行くにつれて互いの間隔が広がるように形成した傾斜面（７ａ、７ａ）を有することを特徴とする引戸装置。
【請求項２】
天井に設けた上レール（５ａ）と、ベランダに設置した手摺（５ｂ）と、上レールに吊り下げられ且つ下部を手摺に案内された引戸（１）と備え、手摺は上面に凹溝を有し、
引戸（１）は、下框（９）が断面略下向きコ字形に形成されていると共に手摺（５ｂ）を上から囲むように配置してあり、縦枠（２）が操作部（３）と、縦枠（２）に内装されて操作部（３）の操作によって上下動する上げ落し棒（４）と、上げ落し棒（４）の先端部に設けてあり且つ下框（９）の内部で手摺（５ｂ）を下方に押圧する押圧体（６）とからなるフリーストッパー（１２）とを有し、
押圧体（６）は、手摺（５ｂ）の凹溝（５）に嵌まり込むものであり、断面略下向き凸形に形成されていると共に側壁（１７ｂ）と手摺押圧面（Ｐ）を有し、両側壁（１７ｂ、１７ｂ）は、上方に行くにつれて互いの間隔が広がるように形成した傾斜面（７ｂ、７ｂ）を有することを特徴とする引戸装置。
【発明の詳細な説明】
【０００１】
【発明の属する技術分野】
本発明は、上下のレールに案内されて移動する引戸を、任意の位置でストップさせておくことのできる引戸装置に関するものである。
【０００２】
【従来の技術】
玄関等のドアにあっては、フランス落しといって、レバーを操作するとドア内に設けた上げ落し棒が上下動し、その先端を床や天井に設けた穴に差し込むことにより、ドアを動かないようにロックする機構が古くから知られている。これを応用したもので、上げ落し棒の先端部にバネを介してストッパーを設け、ストッパーをバネの力で床に押し付けることで、ドアを任意の位置でストップさせられるようにしたものもある（例えば特許文献１参照。）。伸縮門扉においても、上げ落し棒を地面の穴に落し込んでロックすることは一般的に行われ、任意の位置でストップさせられるようにしたものもある（例えば特許文献２参照。）。しかし、上下のレールに案内されて動く一般の引戸にあっては、引戸の自重及びレールとの摩擦力により、ストッパーが無くても任意の位置で止め置くことができるので、そのようなストッパーが設けられることはなかった。上吊りタイプの引戸にはフリーストッパーが設けられることがあるが、それらは主に上レールを走行する滑車の回転を制御するものとなっており、滑車が空回りしたりレール上を滑るおそれがあり、構造も複雑になっていた。
【０００３】
本出願人は、特許文献３に開示されているように、主としてアパート等のベランダの目隠し用に用いられるものであって、ベランダの手摺を下レールとして利用する上吊り引戸タイプの可動式被覆装置を開発した。この可動式被覆装置を構成する引戸にあっては、屋外に設置され、且つ重量をなるべく軽くしてあるために、風等によって勝手に移動することがないよう、ストッパー（同文献中の挟持手段に相当）を設けることが不可欠であった。このストッパーは、手摺の両側又は上部を押圧するものとされ、具体的な構成としては、ノブ付ボルトの先端で手摺の側面を押圧するものとなっていた。
【０００４】
そのように、ノブ付ボルトの先端を手摺の側面に押し付けて引戸を固定した時には、引戸が若干倒れる状態となり好ましくなかった。手摺の上面にノブ付ボルトの先端を押し付けた時にはそのようなことはないが、ボルトの頭部一点で押さえるので引戸の固定が十分ではなく、強風時には引戸がばたつくことがあった。また、ノブ付ボルトの先端で手摺を押圧すると、手摺に凹みができたり傷がついたりするおそれがあり、ノブ付ボルトを回すのは操作性の面でも良好とは言えなかった。
【０００５】
【特許文献１】
実開平１−１６８７７２号公報
【特許文献２】
特開２０００−８７５２号公報
【特許文献３】
特願２００１−３３８８０６
【０００６】
【発明が解決しようとする課題】
本発明は、以上に述べた実情に鑑みてなされたものであって、引戸を任意の位置で動かないように簡単に固定することのできる引戸装置の提供を目的とする。
【０００７】
【課題を解決するための手段】
上記の課題を達成するために、請求項１記載の発明による引戸装置は、天井に設けた上レールと、ベランダに設置した手摺と、上レールに吊り下げられ且つ下部を手摺に案内された引戸と備え、引戸は、下框が断面略下向きコ字形に形成されていると共に手摺を上から囲むように配置してあり、縦枠が操作部と、縦枠に内装されて操作部の操作によって上下動する上げ落し棒と、上げ落し棒の先端部に設けてあり且つ下框の内部で手摺を下方に押圧する押圧体とからなるフリーストッパーとを有し、押圧体は、断面略下向きコ字形に形成されていると共に側壁と手摺押圧面を有し、両側壁は、下方に行くにつれて互いの間隔が広がるように形成した傾斜面を有することを特徴とする。
【０００８】
上記の課題を達成するために、請求項２記載の発明による引戸装置は、天井に設けた上レールと、ベランダに設置した手摺と、上レールに吊り下げられ且つ下部を手摺に案内された引戸と備え、引戸は、下框が断面略下向きコ字形に形成されていると共に手摺を上から囲むように配置してあり、縦枠が操作部と、縦枠に内装されて操作部の操作によって上下動する上げ落し棒と、上げ落し棒の先端部に設けてあり且つ下框の内部で手摺を下方に押圧する押圧体とからなるフリーストッパーとを有し、押圧体は、手摺の凹溝に嵌まり込むものであり、断面略下向き凸形に形成されていると共に側壁と手摺押圧面を有し、両側壁は、上方に行くにつれて互いの間隔が広がるように形成した傾斜面を有することを特徴とする。
【０００９】
押圧体は、弾性を有し、ある程度摩擦の大きい材質であることが好ましく、例えばゴム、合成樹脂製とすることができる。さらに、上げ落し棒と押圧体の間にコイルバネ等の弾性体を介在させ、押圧体が弾性体の弾性力により手摺を押圧する構成がより好ましい。なお引戸は、障子、ガラリ、格子、パネル等、何でもよい。側壁は、押圧体が手摺を押圧したときに手摺と嵌合し、引戸の横方向の移動のみならず前後方向の振れを阻止するものをいう。また、側壁は、手摺から離れたときには手摺ガイドとなって、引戸を移動させる際にも前後方向の振れを阻止できるものとすることもできる。側壁は、上下動するに際して手摺との馴染みが良いように、手摺と相対する側面を傾斜面に形成してあることが好ましい。ベランダとは、バルコニー、アパート・マンションの共通通路等を広くいう。また手摺とは、ベランダの縁に設けられる手掛かりとなり得る部分をいう。
【００１０】
【発明の実施の形態】
以下、本発明の実施の形態を図面に基づいて説明する。図１から図３は、本発明の引戸装置の一実施形態を示している。この引戸装置は、アパート、マンション等のベランダの手摺５ｂ上に構成したものであって、天井に固定した上レール５ａに、引戸１が滑車８でレールに沿って水平方向に移動自在に吊り下げられ、引戸の下框９が断面コ字形に形成され、これが手摺５ｂを上から囲むように位置している。引戸１は、左右の縦框２，２と、上框１０、下框９とで方形に枠組され、枠内に羽板１１を上下に間隔をおいて複数取付けたものとなっており、外部からの視線を遮ったり、日射しや風を遮るために、手摺５ｂに沿って適宜移動させて用いることができる。引戸の縦框２には、引戸１が風等によって勝手に移動することがないように、引戸１を任意の位置で固定するフリーストッパー１２を備えている。
【００１１】
フリーストッパー１２は、図２と図３に示すように、縦框２の室内側面に設置したフランス落し３と、フランス落しの操作レバー１３を操作することによって上下動する上げ落し棒４と、上げ落し棒４の下端部に設けられ手摺５ｂを押圧する押圧体６とで構成される。フランス落し３は、ドア等に設置される一般的なもので、操作レバー１３を上下に回動操作することにより、可動部１４が一定のストロークで上下動する。上げ落し棒４には、コイルバネ１５を用いたストローク吸収機構１６を有している。上げ落し棒４が上昇した図３（イ）の状態における押圧体６と手摺５ｂとの間隔ｓは、可動部１４のストロークよりも小さくしてあるので、上げ落し棒４を下降させた図３（ロ）の状態では、コイルバネ１５が撓み、その反発力により押圧体６が手摺５ｂを押圧する。このようなストローク吸収機構１６を備えていることによって、可動部１４のストロークが一定であって、且つ押圧体６と手摺５ｂとの隙間ｓがまちまちであっても、引戸をストップさせる機能が確実に発揮される。押圧体６は、下面側を切除して、手摺５ｂの室内外方向に側壁１７ａ、１７ａが設けてある。また、両側壁１７ａ、１７ａは、ハの字形に傾斜している。上げ落し棒４が上昇した図３（イ）の状態でも、手摺５ｂは、押圧体６の手摺押圧面Ｐと側壁１７ａ、１７ａとに囲まれた空間に位置しており、これにより引戸１の前後方向の振れやばたつきが抑制される。上げ落し棒４が下降した図３（ロ）の状態では、側壁１７ａ、１７ａ間の最深部に手摺５ｂが嵌まり込み、これにより引戸１の下部が手摺５ｂに固定されることとなる。なお、この時、側壁１７ａ、１７ａの傾斜面７ａ、７ａによって手摺５ｂの上部を挟み込むようにしてもよい。
【００１２】
本発明は以上に述べた実施形態に限定されない。押圧体６は、図４に示すように、溝形状のレール５に対して凸状に形成したものであってもよい。操作部３の形態は、サムターン式のものや上下スライド式のものであってもよい。操作部を縦框に設けることで、レールの設置高さによらず、操作部を操作性の良い高さに設けることができる。
【００１３】
【発明の効果】
請求項１記載の発明による引戸装置は、フリーストッパーの上げ落し棒が上昇した状態では、押圧体の手摺押圧面が手摺から離れるが、このとき、押圧体の両側壁に、下方に行くにつれて互いの間隔が広がるように傾斜する傾斜面を有することで、手摺が両側壁間に位置すると共に、引戸は、室内外方向の動きを両側壁で規制しながら手摺の長手方向に沿って移動自在となるので、これにより、引戸の室内外方向の振れやばたつきを抑止できる。また、上げ落し棒を下げてストッパーを効かせた時に、押圧体の手摺押圧面が下向きに手摺を圧接すると共に、押圧体の両側壁間に手摺が位置して引戸の室内外方向の動きを規制するので、引戸の下部が安定に固定される。
【００１４】
請求項２記載の発明による引戸装置は、フリーストッパーの上げ落し棒が上昇した状態では、押圧体の手摺押圧面が手摺から離れるが、このとき、押圧体の両側壁に有する傾斜面が、上方に行くにつれて互いの間隔が広がるように傾斜していることで、押圧体が凹溝の溝壁間に位置すると共に、引戸は、室内外方向の動きを両側壁で規制しながら手摺の長手方向に沿って移動自在となるので、これにより、請求項１記載のものと同様、引戸の室内外方向の振れやばたつきを抑止できる。また、上げ落し棒を下げてストッパーを効かせた時に、手摺押圧面が凹溝の溝底に圧接すると共に、押圧体が凹溝内に位置して引戸の室内外方向の動きを規制するので、引戸の下部が安定に固定される。
【００１５】
さらに、アパートやマンションのベランダに、目隠しをはじめとする多機能に用いることのできる引戸を提供することができ、しかもその引戸には、押圧体を簡便な操作によって手摺に圧接・離間できるフリーストッパーを備えているので、引戸を手摺上の任意の位置で簡単且つ確実に固定することができ、また、手摺を傷つけることもない。
【図面の簡単な説明】
【図１】  本発明の引戸装置の一実施形態を示す屋内側から見た正面図である。
【図２】  図１の引戸装置の縦断面図である。
【図３】（イ）（ロ）  図２中のフリーストッパーの部分を拡大したものであって、ストッパーを解除した状態、ストッパーを働かせた状態をそれぞれ示している。
【図４】  押圧体の別の実施形態を示す縦断面図である。
【符号の説明】
１  引戸
２  縦框
３  フランス落し（操作部）
４  上げ落し棒
５  レール（凹溝）
５ａ  上レール
５ｂ  手摺
６  押圧体
７ａ、７ｂ  傾斜面
１７ａ、１７ｂ  側壁
【図１】
0004168815.tif 000002
【図２】
0004168815.tif 000003
【図３】
0004168815.tif 000004
【図４】
0004168815.tif 000005